(57)【要約】【課題】意図する画面表示の移動態様を操作者が比較的容易に実現できる操作装置の提供。【解決手段】表示装置から離れた位置に操作面を備えるタッチ操作部と、前記操作面上で指をスライドさせるスライド操作中の少なくとも一部の期間、前記表示装置の画面内の画面表示を移動させず、且つ、前記操作面における前記スライド操作の開始時の指の接触位置と現在の指の接触位置との位置関係に基づいて、現在の指の接触位置で前記スライド操作が終了したと仮定した場合の前記画面表示の移動態様を表す情報を前記画面表示上に出力し、前記スライド操作の終了時に、前記操作面における前記スライド操作の開始時の指の接触位置と前記スライド操作の終了時の指の接触位置との位置関係に応じて前記画面表示を移動させる制御装置と含む。【選択図】図７
2016012313.tif 000002
【特許請求の範囲】
【請求項１】
表示装置から離れた位置に操作面を備えるタッチ操作部と、
前記操作面上で指をスライドさせるスライド操作中の少なくとも一部の期間、前記表示装置の画面内の画面表示を移動させず、且つ、前記操作面における前記スライド操作の開始時の指の接触位置と現在の指の接触位置との位置関係に基づいて、現在の指の接触位置で前記スライド操作が終了したと仮定した場合の前記画面表示の移動態様を表す情報を前記画面表示上に出力し、前記スライド操作の終了時に、前記操作面における前記スライド操作の開始時の指の接触位置と前記スライド操作の終了時の指の接触位置との位置関係に応じて前記画面表示を移動させる制御装置と含む、操作装置。
【請求項２】
前記画面表示の移動態様は、前記画面表示の移動方向及び移動量を含む、請求項１に記載の操作装置。
【請求項３】
前記画面表示は、地図表示であり、
前記制御装置は、前記操作面における前記スライド操作の開始時の指の接触位置と現在の指の接触位置との位置関係に基づいて、現在の指の接触位置で前記スライド操作が終了したと仮定した場合に前記画面の中心位置に来る前記地図表示の位置を決定し、決定した前記位置を表す前記情報を前記画面表示上に出力する、請求項１又は２に記載の操作装置。
【請求項４】
前記情報は、現在の前記地図表示の中心位置と、現在の指の接触位置で前記スライド操作が終了したと仮定した場合に前記画面の中心位置に来る前記地図表示の位置とを結ぶ矢印の表示を含む、請求項３に記載の操作装置。
【請求項５】
前記制御装置は、前記操作面における現在の指の接触位置の、前記操作面における前記スライド操作の開始時の指の接触位置に対する距離及び方向と、現在の指の接触位置で前記スライド操作が終了したと仮定した場合に前記画面の中心位置に来る前記地図表示の位置の、前記画面の中心位置に対する距離及び方向とがそれぞれ対応する相対座標関係に基づいて、現在の指の接触位置で前記スライド操作が終了したと仮定した場合に前記画面の中心位置に来る前記地図表示の位置を決定する、請求項３に記載の操作装置。
【発明の詳細な説明】
【技術分野】
【０００１】
本開示は、操作装置に関する。
【背景技術】
【０００２】
フリック操作を行うことにより、表示情報が同一量（一定量）だけスクロールされてスクロール表示が止まるスクロール制御装置が知られている（例えば、特許文献１参照）。
【先行技術文献】
【特許文献】
【０００３】
【特許文献１】特開2014-006708号公報
【発明の概要】
【発明が解決しようとする課題】
【０００４】
しかしながら、上記特許文献１に記載の構成では、フリック操作でスクロールする量が一定であるため、意図するスクロールを操作者が実現するのが困難であるという問題がある。例えば、操作者が、あるポイントが画面の中心に来るようにスクロールさせたいときに、そのポイントと現在の画面の中心との距離が、一定のスクロール量に対応しない場合には、意図するスクロールを操作者が実現するのが困難である。
【０００５】
本開示は、意図する画面表示の移動態様を操作者が比較的容易に実現できる操作装置の提供を目的とする。
【課題を解決するための手段】
【０００６】
本開示の一局面によれば、表示装置から離れた位置に操作面を備えるタッチ操作部と、
前記操作面上で指をスライドさせるスライド操作中の少なくとも一部の期間、前記表示装置の画面内の画面表示を移動させず、且つ、前記操作面における前記スライド操作の開始時の指の接触位置と現在の指の接触位置との位置関係に基づいて、現在の指の接触位置で前記スライド操作が終了したと仮定した場合の前記画面表示の移動態様を表す情報を前記画面表示上に出力し、前記スライド操作の終了時に、前記操作面における前記スライド操作の開始時の指の接触位置と前記スライド操作の終了時の指の接触位置との位置関係に応じて前記画面表示を移動させる制御装置と含む、操作装置が提供される。
【発明の効果】
【０００７】
本開示によれば、意図する画面表示の移動態様を操作者が比較的容易に実現できる操作装置が得られる。
【図面の簡単な説明】
【０００８】
【図１】一実施例による車両用操作装置１の要部構成を示すシステム図である。
【図２】タッチパッド１０を概略的に示す上面図である。
【図３】タッチパッド１０の要部断面を概略的に示す断面図である。
【図４】ディスプレイ２０上に表示される地図表示の一例を示す図である。
【図５】一実施例による車両用操作装置１のタッチパッド１０とディスプレイ２０の配置状態の一例を示す概略図である。
【図６】タッチパッド１０の制御部１６及びディスプレイ制御部３０により実現される状態遷移の一例を示す図である。
【図７】移動ベクトル表示を含む地図表示の一例を示す図である。
【図８】移動ベクトル表示の生成方法の説明図。
【図９】図７の地図表示に対するスクロール処理後の地図表示の一例を示す図である。
【図１０】タッチパッド１０の制御部１６及びディスプレイ制御部３０により実現される状態遷移の他の一例を示す図である。
【発明を実施するための形態】
【０００９】
以下、添付図面を参照しながら各実施例について詳細に説明する。
【００１０】
図１は、一実施例による車両用操作装置１の要部構成を示すシステム図である。図２は、タッチパッド１０を概略的に示す上面図である。図３は、タッチパッド１０の要部断面を概略的に示す断面図である。尚、図２には、タッチパッド１０を操作する手が概略的に示されているが、図３には示されない。図４は、ディスプレイ２０上に表示される地図表示の一例を示す図であり、（Ａ）は、カーソル状態における地図表示の一例を示し、（Ｂ）は、ポインタ状態における地図表示の一例を示す。図５は、一実施例による車両用操作装置１のタッチパッド１０とディスプレイ２０の配置状態の一例を示す概略図である。
【００１１】
車両用操作装置１は、タッチパッド（タッチ操作部の一例）１０と、ディスプレイ２０と、ディスプレイ制御部３０とを含む。
【００１２】
タッチパッド１０は、車室内の適切な場所に設けられる。タッチパッド１０は、好ましくは、運転者が操作しやすい位置（運転姿勢を保ちながら手を伸ばして届く位置）に配置される。タッチパッド１０は、図５に示すように、例えばコンソールボックス又はその周辺に配置されてもよい。タッチパッド１０は、図１に示すように、座標検出部１２と、押下圧力検出部１４と、制御部１６と、メモリ１８とを含む。
【００１３】
座標検出部１２は、図２に示すように、２次元の略平らな操作面(タッチ操作面)を備える。座標検出部１２は、静電センサを備え、その検出信号が制御部１６に送られる。座標検出部１２は、例えば、静電パッドにより構成される。静電パッドは、例えば、平面上にX方向、Y方向のそれぞれに絶縁体を挟んで電極（静電センサ）が直線状に延在する構造を有する。これらの電極に、絶縁体のパネルを挟んで人の指が接近すると、電極と指を極板とするコンデンサが形成され、電極の電荷量（及びそれの伴い静電容量）が変化する。この場合、電極の検出信号（電極に溜められる電荷の変化量を表す信号）が制御部１６に送られてよい。
【００１４】
座標検出部１２は、上下方向（図３のＺ方向）に移動可能に構成される。この座標検出部１２を上下動可能にするための機構は任意であってよい。尚、図３に示す例では、座標検出部１２は、弾性部材５４を介して基板６０に支持されている。座標検出部１２の上下動ストロークは任意であってよく、微小であってもよい。
【００１５】
押下圧力検出部１４は、タッチパッド１０の座標検出部１２の下方への移動を表す信号を出力する。押下圧力検出部１４は、例えばタクトスイッチや感圧センサ(例えば圧電素子)により構成される。座標検出部１２の操作面の下方移動に伴って座標検出部１２に接触する箇所であれば任意の場所に配置されてもよい。例えば、図３に示す例では、押下圧力検出部１４を構成する感圧センサは、座標検出部１２の中央部の下方に設けられているが、座標検出部１２の周囲に設けられてもよい。また、押下圧力検出部１４を構成する感圧センサは、複数個分散した位置に設けられてもよい。
【００１６】
制御部１６及びメモリ１８は、例えばマイクロコンピューターにより形成される。
【００１７】
制御部１６は、座標検出部１２の静電センサからの出力（出力信号）に基づいて、タッチ操作面に対する指の接触を検出する。この際、制御部１６は、タッチ操作面内の座標位置を表す座標信号、即ち操作者によりタッチ操作された座標位置（操作指の接触位置）を表す座標信号を生成する。尚、座標検出部１２が静電パッドで構成される場合、上述の如く電極と操作指からなるコンデンサには電荷が蓄えられ、各電極における電荷の変化量が操作指の位置に応じて異なるため、各電極からの検出信号に基づいて、操作指の位置を特定することができる。具体的には、制御部１６は、座標検出部１２からの出力レベルが所定の基準値（検出閾値）を超えた場合に、検出信号のレベルが最大（極大）となる電極の配置位置に基づいて座標信号を生成する。所定の基準値は、例えば電極に溜まる電荷の変化量に関連する値である。例えば、制御部１６は、電極に溜まる電荷の変化量（最大の電荷変化量）が基準値を超えた場合に、タッチ操作面に対する指の接触があると判定して、座標信号（例えば電荷の変化量が最大となる２次元位置を表す座標信号）を生成し、電極に溜まる電荷の変化量が基準値を超えない場合には、タッチ操作面に対する指の接触が無いと判定して、座標信号を生成しない。尚、基準値は、メモリ１８に記憶されてもよい。生成した座標信号は、ディスプレイ制御部３０に送信される。
【００１８】
制御部１６は、押下圧力検出部１４からの出力信号に基づいて、決定信号を生成する。例えば、押下圧力検出部１４が感圧センサからなる場合、感圧センサからの出力（押下圧力）が所定閾値Ｐｎを越えた場合に、操作者による決定操作を検出して、決定信号を生成する。押下圧力検出部１４がタクトスイッチからなる場合、タクトスイッチからオン信号が入力された場合に、操作者による決定操作を検出して、決定信号を生成する。生成した決定信号は、ディスプレイ制御部３０に送信される。
【００１９】
制御部１６は、ディスプレイ制御部３０との間で通信し、各種情報（座標信号や決定信号等）をディスプレイ制御部３０に送信する。尚、制御部１６の機能の一部又は全部は、座標検出部１２により実現されてもよい。
【００２０】
ディスプレイ２０は、図５に示すように、タッチパッド１０に対して遠隔位置に配置される。ディスプレイ２０は、液晶ディスプレイやＨＵＤ（ヘッドアップディスプレイ）のような任意の表示装置であってよい。ディスプレイ２０は、車室内の適切な位置（例えば、インストルメントパネル）に配置される。ディスプレイ２０は、タッチパネルディスプレイであってもよいが、本例では、タッチ操作ができないタイプのディスプレイである。ディスプレイ２０には、図４に示すような地図表示が表示される。尚、地図表示が表示されないときには、ディスプレイ２０には、ＴＶ、周辺監視カメラの映像等が表示されてもよい。
【００２１】
ディスプレイ制御部３０は、例えばマイクロコンピューターにより形成される。ディスプレイ制御部３０は、ＥＣＵ（Electronic Control Unit）として具現化されてもよい。尚、ディスプレイ制御部３０とタッチパッド１０との接続態様は、任意であり、有線、無線またはその組み合わせであってもよいし、直接的な接続や間接的な接続であってもよい。また、ディスプレイ制御部３０の機能の一部又は全部は、タッチパッド１０の制御部１６やディスプレイ２０内の制御部（図示せず）により実現されてもよいし、逆にタッチパッド１０の制御部１６の機能の一部又は全部がディスプレイ制御部３０により実現されてもよい。
【００２２】
ディスプレイ制御部３０は、基本的な機能として、ディスプレイ２０とタッチパッド１０とを同期させて、タッチパッド１０での操作者の操作を補助する。
【００２３】
図６は、タッチパッド１０の制御部１６及びディスプレイ制御部３０により実現される状態遷移の一例を示す図である。図６は、ディスプレイ２０上に地図表示が出力されているときの状態遷移の一例を示す。
【００２４】
タッチパッド１０の制御部１６及びディスプレイ制御部３０により実現される動作モードは、大きく分けて、カーソルモードと、スクロールモードとを含む。
【００２５】
カーソルモードは、例えば、地図表示の出力開始時に形成される（図６の矢印Ｐ参照）。ディスプレイ制御部３０は、待機状態において、タッチパッド１０からの座標信号が入力されると（条件Ａの一例）、タッチＯＮ状態に移行する。タッチＯＮ状態では、ディスプレイ制御部３０は、タッチＯＮ状態移行時の座標信号の座標値と地図表示上の操作項目の位置関係に応じてカーソル状態又はポインタ状態に選択的に移行する。例えば、ディスプレイ制御部３０は、タッチＯＮ状態移行時の座標信号の座標値が地図表示の操作項目上に位置せずに地図領域に位置する場合（条件Ｃの一例）は、ポインタ状態に移行し、タッチＯＮ状態移行時の座標信号の座標値が地図表示の操作項目上に位置する場合（条件Ｂの一例）は、カーソル状態に移行する。また、タッチパッド１０からの座標信号の入力が継続している間、ディスプレイ制御部３０は、座標信号の座標値の変化に伴い、カーソル状態及びポインタ状態間で移行する。例えば、ディスプレイ制御部３０は、カーソル状態において座標信号の座標値が地図領域に位置する場合（条件Ｋ１の一例）は、ポインタ状態に移行し、ポインタ状態において座標信号の座標値が地図表示の操作項目上に位置する場合（条件Ｋ２の一例）は、カーソル状態に移行する。
【００２６】
カーソル状態では、ディスプレイ２０の地図表示上にはカーソル８０（図４（Ａ）参照）が描画される。カーソル状態では、ディスプレイ制御部３０は、タッチパッド１０からの座標信号に基づいて、カーソル８０の位置を各選択項目間で移動させる。カーソル状態において、ディスプレイ制御部３０は、タッチパッド１０からの決定信号を受信すると（条件Ｅの一例）、ボタン選択状態に移行する。ボタン選択状態では、ディスプレイ制御部３０は、決定処理を行う。例えば、図４（Ａ）に示す例で決定操作が行われると、ディスプレイ制御部３０は、目的地セット用の画面に遷移させてよい。カーソル状態において、ディスプレイ制御部３０は、タッチパッド１０からの座標信号の入力がなくなると（条件Ｄの一例）、待機状態に移行する。
【００２７】
ポインタ状態では、ディスプレイ２０の地図表示上には、タッチパッド１０上の操作で移動させることができるポインタ９２（図４（Ｂ）参照）が描画される。ポインタ状態では、ディスプレイ制御部３０は、タッチパッド１０からの座標信号に基づいてポインタ９２の位置を地図表示上で移動させる。ポインタ状態において、ディスプレイ制御部３０は、タッチパッド１０からの決定信号を受信すると（条件Ｆの一例）、スクロールモードに移行する。ディスプレイ制御部３０は、スクロールモードへの移行時、スクロール待機状態を形成する。尚、スクロール待機状態において、ディスプレイ制御部３０は、戻るボタンの操作を検出すると（条件Ｊの一例）、ポインタ状態に戻る。
【００２８】
スクロール待機状態では、ディスプレイ制御部３０は、スクロール用の地図表示を生成する。スクロール用の地図表示は、ポインタ状態における地図表示と実質的に同一であってもよいが、好ましくは、操作項目は非表示又は無効化される。図７は、スクロール用の地図表示の一例を示す。図７に示す例では、スクロール用の地図表示上には、ポインタ状態における地図表示のポインタ９２に代えて、カーソル９６が描画されると共に、後述の移動ベクトル表示９８が描画される。但し、ポインタ９２がそのまま使用されてもよい。また、図７に示す例では、スクロール用の地図表示上には、自車位置表示９１からカーソル９６までの地図上の距離を表す情報表示９９が描画される。カーソル９６が描画される位置は、常にディスプレイ２０の画面の中心位置である。従って、地図表示のスクロール中も、カーソル９６の位置は変化しない。ポインタ状態からスクロール待機状態への移行時、ディスプレイ制御部３０は、地図表示上のポインタ９２の位置がディスプレイ２０の画面の中心位置（カーソル９６の位置）に来るように地図表示を移動（スクロール）させてもよい。尚、ディスプレイ２０の画面の中心位置は、必ずしもディスプレイ２０の画面の正確な中心位置に対応する必要はなく、正確な中心位置を中心とした所定範囲内の位置である。
【００２９】
尚、スクロール待機状態において、ディスプレイ制御部３０は、移動ベクトル表示状態において、決定操作（タッチパッド１０に対する押下操作）を検出した場合、そのときにカーソル９６が位置する地図表示上の地点の地点情報及び／又は周辺の地点情報（例えば、ＰＯＩ：Point Of Interest等）を出力してもよい。これにより、操作者は、スクロールモード中に、カーソル９６が地図表示上の所望の位置に来たときに、決定操作（場所指定）を行うことで、その場所の地点情報及び／又は周辺の地点情報を閲覧することができる。また、このような決定操作（場所指定）が行われると、カーソルモードのポインタ状態又はカーソル状態に移行してよく、ディスプレイ制御部３０は、地図表示上に地点毎に選択項目を表示してもよい。そして、ディスプレイ制御部３０は、ある地点の選択項目が選択されている状態（カーソル状態）で、決定操作を検出した場合に、当該地点の詳細な情報を出力することとしてもよい。
【００３０】
スクロール待機状態では、ディスプレイ制御部３０は、タッチパッド１０から座標信号が入力されると（条件Ｇの一例）、座標信号が入力されなくなくなるまで（条件Ｈの一例）、移動ベクトル表示状態に移行する。即ち、ディスプレイ制御部３０は、タッチパッド１０の操作面上で指をスライドさせるスライド操作中、移動ベクトル表示状態に移行する。尚、スライド操作とは、タッチパッド１０の操作面に指を接触させてから指の接触状態を維持しながら指を動かして操作面から指を離す操作（一連の操作）である。尚、スライド操作は、ドラッグ操作やフリック操作を含む。
【００３１】
移動ベクトル表示状態（スライド操作中）では、ディスプレイ制御部３０は、ディスプレイ２０の画面内の画面表示を移動させず、且つ、座標信号の初期値（スライド操作の開始時の指の接触位置）と現在値（現在の指の接触位置）とに基づいて、現在の指の接触位置でスライド操作が終了したと仮定した場合の画面表示の移動態様を表す情報を出力する。図７に示す例では、ディスプレイ制御部３０は、座標信号の初期値と現在値とに基づいて、地図表示上に移動ベクトル表示９８を描画する。この際、ディスプレイ制御部３０は、地図表示自体は移動させない（スクロールさせない）。ディスプレイ制御部３０は、移動ベクトル表示９８を、始点がカーソル９６の位置に対応するように描画する。ディスプレイ制御部３０は、移動ベクトル表示９８の終点を座標信号の初期値と現在値との関係に基づいて決定する。このとき、ディスプレイ制御部３０は、相対座標モードで動作してよい。移動ベクトル表示状態における相対座標モードでは、典型的には、カーソル９６の位置にディスプレイ２０の画面の座標系の原点が位置し、座標信号の初期値にタッチパッド１０の操作面の座標系の原点が位置する態様で、ディスプレイ２０の画面の座標系とタッチパッド１０の操作面の座標系とが対応付けられる。具体的には、相対座標モードでは、図８に概念的に示すように、指が接触している操作面内の座標位置そのものには関係なく、操作面上での指の移動ベクトル｛（ｘ２、ｙ２）−（ｘ１、ｙ１）｝に応じて移動ベクトル表示９８の終点位置（Ｘ，Ｙ）が決定される。例えば、ディスプレイ２０の画面と操作面のアスペクト比が同じである場合、終点位置（Ｘ，Ｙ）と移動ベクトル｛（ｘ２、ｙ２）−（ｘ１、ｙ１）｝との対応関係は、（Ｘ，Ｙ）＝Ｋ｛（ｘ２、ｙ２）−（ｘ１、ｙ１）｝の通りであってよい。ここで、Ｋは定数であり、固定値であってもよいし、ユーザにより可変設定可能であってもよい。尚、ディスプレイ制御部３０は、現在表示中の地図表示の外縁（画面の外縁）を超える終点位置（Ｘ，Ｙ）を算出した場合は、地図表示の外縁に対応する座標に、終点位置（Ｘ，Ｙ）を補正してよい。
【００３２】
移動ベクトル表示状態において、ディスプレイ制御部３０は、座標信号が入力されなくなくなると（条件Ｈの一例）、スクロール処理状態に移行する。即ち、ディスプレイ制御部３０は、スライド操作の終了時に、操作面におけるスライド操作の開始時の指の接触位置とスライド操作の終了時の指の接触位置との位置関係に応じて画面表示を移動させる。具体的には、スクロール処理状態では、ディスプレイ制御部３０は、地図表示における移動ベクトル表示９８の終点位置（Ｘ，Ｙ）であって、座標信号が入力されなくなくなる直前の移動ベクトル表示９８の終点位置（Ｘ，Ｙ）がカーソル９６の位置に来るように地図表示を移動させる。即ち、ディスプレイ制御部３０は、入力されなくなくなる直前の座標信号の座標値（操作面におけるスライド操作の終了時の指の接触位置）に対応した地図表示の位置が、カーソル９６の位置に来るように地図表示を移動させる。この際、ディスプレイ制御部３０は、移動ベクトル表示９８の表示を無くす。即ち、移動ベクトル表示９８の終点位置がカーソル９６の位置に来ることで、移動ベクトル表示９８の長さが０となり、非表示となる。図９は、図７に示す移動ベクトル表示９８の状態で座標信号が入力されなくなくなった場合のスクロール処理後の地図表示の一例を示す。図９に示す例では、図７に示す移動ベクトル表示９８の終点位置に対応する地図表示の位置Ｓが、カーソル９６の位置に移動されている。ディスプレイ制御部３０は、スクロール処理を完了すると（条件Ｉの一例）、スクロール待機状態に移行する。
【００３３】
このように、移動ベクトル表示状態においては、操作者は、ディスプレイ２０を見ながら、座標検出部１２の操作面に操作指(例えば人差し指)で触れながら操作面内で操作指を動かすことで、移動ベクトル表示９８の終点位置を地図表示における所望の位置（所望の地点や施設）へと移動させることができる。そして、移動ベクトル表示９８の終点位置が地図表示における所望の位置上に来たときに、操作面から操作指を離すことで、スクロール処理状態を形成し、地図表示における移動ベクトル表示９８の終点位置に対応する位置（図７及び図９の位置Ｓ参照）がカーソル９６の位置に来るように地図表示をスクロール操作することができる。
【００３４】
以上説明したように、本実施例によれば、操作者は、座標検出部１２の操作面に操作指で触れながら操作面内で操作指を動かすことで（スライド操作により）、移動ベクトル表示９８の終点位置を動かして、地図表示における所望の位置を容易に選択することができる。そして、操作者は、移動ベクトル表示９８の終点位置が地図表示における所望の位置に来たときに操作面から指を離すことで、当該所望の位置がカーソル９６の位置に来る態様で地図表示をスクロールさせることができる。この結果、操作者は、自身が意図する地図表示のスクロール態様を比較的容易に実現できる。
【００３５】
また、本実施例によれば、移動ベクトル表示状態においては、地図表示はスクロールされない。これにより、操作者は、地図表示をスクロールさせながら地図表示上の所望の位置をカーソル９６の位置まで移動させる比較構成よりも容易に、地図表示上の所望の位置をカーソル９６の位置まで移動させることができる。また、移動ベクトル表示状態において地図表示がスクロールされないので、ディスプレイ２０に対する運転者の注視ないし脇見（driver distraction）を抑制することができる。この点、移動ベクトル表示９８は、上述の如く終点位置が変化する（それに伴い長さや向きが変化する）が、基本的には運転者支援を目的とする静的なグラフィックである。即ち、移動ベクトル表示９８の終点位置の変化は、地図表示のスクロールを伴わないので、静的なグラフィックということができる。従って、移動ベクトル表示９８を用いることで、ディスプレイ２０に対する運転者の注視ないし脇見を低減することができる。
【００３６】
尚、ポインタ状態では、地図表示上の所望の位置にポインタ９２を移動させてからタッチパッド１０に対する押下操作を行うことで、同様のスクロールを実現するスクロール方法も採用されうる。しかしながら、かかるスクロール方法では、押下操作時の指の位置の変化や車両振動等に起因した僅かなズレ（確定直前のポインタ９２の位置のズレ）が発生しやすい。これに対して、本実施例では、移動ベクトル表示９８の終点位置の確定操作は、操作面から指を離すことで実現されるので、かかる僅かなズレを低減することができ、操作性が向上する。
【００３７】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００３８】
例えば、上述した実施例では、タッチパッド１０におけるタッチ操作の検出機構は静電センサを用いているが、他の原理（センサ）でタッチ操作を検出してもよい。例えば、タッチパッド１０は、微感圧式のタッチパネルにより構成されてもよい。或いは、抵抗線、導電性ゴムの薄膜、指による光の遮断を利用したもの等他の構造等を用いることも可能である。
【００３９】
また、上述した実施例では、タッチパッド１０の操作面を押下げて決定操作を行うが、ノート型ＰＣなどで使用される一般的な静電容量式タッチパッドのように、決定操作は、タッチパッド１０とは別に設けられる押圧スイッチ（メカニカルスイッチ）により実現されてもよい。
【００４０】
また、上述した実施例は、車両用操作装置１に関するものであるが、車両用以外の多種多様な操作装置（例えば、船舶用の操作装置や、機械（ロボット等）用の操作装置等）にも適用可能である。
【００４１】
また、上述した実施例では、スクロール対象の画面表示は、地図表示であったが、他の表示であってもよい。例えば、スクロール対象の画面表示は、例えば、複数ページの書籍の各ページの表示を含んでよい。この場合、ページめくり操作をスクロール操作と同様に扱うことができる。例えば、移動ベクトル表示状態では、ディスプレイ制御部３０は、座標信号の初期値と現在値とに基づいて、ページ表示上に移動ベクトル表示を描画する。この場合、移動ベクトル表示は、カーソルの位置から左右方向に平行に延在し、移動ベクトル表示の向きがページをめくる方向（例えば、右方向の場合は、ページが進む方向）を表し、移動ベクトル表示の長さが、めくるページ数を表してよい。この際、めくるページ数の数字が追加的に表示されてもよい。
【００４２】
また、上述した実施例では、移動ベクトル表示状態（スライド操作中）においては、地図表示はスクロールされないが、特定の場合には地図表示がスクロールされてもよい。即ち、スライド操作中の一部の期間だけ、地図表示がスクロールされず、他の期間、地図表示がスクロールされてもよい。例えば図１０に示すように、地図表示の外縁に対応する座標に移動ベクトル表示９８の終点位置が位置する状態が所定時間以上継続した場合（条件Ｋの一例）に、ディスプレイ制御部３０は、スクロール状態に移行し、スクロール状態では、ディスプレイ制御部３０は、移動ベクトル表示９８の方向とは逆方向に地図表示をスクロールしてもよい。このスクロール状態では、ディスプレイ制御部３０は、移動ベクトル表示９８の表示を維持してもよいし、非表示としてもよい。スクロール状態において、地図表示の外縁に対応する座標に移動ベクトル表示９８の終点位置が位置しなくなった場合（条件Ｌの一例）、ディスプレイ制御部３０は、移動ベクトル表示状態に復帰する。また、スクロール状態において、ディスプレイ制御部３０は、座標信号が入力されなくなくなると（条件Ｈの一例）、スクロール処理状態に移行してよい。
【００４３】
また、上述した実施例では、移動ベクトル表示状態において指の接触状態が無くなったときに実行する地図表示のスクロール態様を表す情報（現在の指の接触位置でスライド操作が終了したと仮定した場合の画面表示の移動態様を表す情報）として、移動ベクトル表示９８が用いられているが、移動ベクトル表示９８に代えて又は加えて他の情報（表示）が生成されてもよい。かかる他の情報は、座標信号の入力が無くなったときにカーソル９６の位置に来ることになる地図表示の位置を直接的又は間接的に表す限り任意である。例えば、ディスプレイ制御部３０は、座標信号の入力が無くなったときにカーソル９６の位置に来ることになる地図表示の位置（移動ベクトル表示９８の終点位置に対応する位置）を強調表示することとしてもよい。強調表示は、当該位置を円形等の囲み表示で囲うことや、該囲み表示を点滅させること等を含んでよい。
【００４４】
また、上述した実施例では、スクロール用の地図表示上にはカーソル９６が描画されているが、カーソル９６の表示は省略されてもよい。
【００４５】
また、上述した実施例では、タッチパッド１０は、車載されているが、車両内に持ち込み可能な携帯機器（例えば、スマートフォンやタブレット端末）のタッチ操作部により代替えされてもよい。この場合、携帯機器は、ディスプレイ制御部３０とBluetooth(登録商標)等により通信することで、上述のタッチパッド１０と同様の機能を実現してよい。
【符号の説明】
【００４６】
１    車両用操作装置
１０    タッチパッド
１２    座標検出部
１４    押下圧力検出部
１６    制御部
１８    メモリ
２０    ディスプレイ
３０    ディスプレイ制御部
５４    弾性部
６０    基板
８０    カーソル
９２    ポインタ
９６    カーソル
９８    移動ベクトル表示
【図１】
2016012313.tif 000003
【図２】
2016012313.tif 000004
【図３】
2016012313.tif 000005
【図４】
2016012313.tif 000006
【図５】
2016012313.tif 000007
【図６】
2016012313.tif 000008
【図７】
2016012313.tif 000009
【図８】
2016012313.tif 000010
【図９】
2016012313.tif 000011
【図１０】
2016012313.tif 000012